(57)【要約】【課題】多ディスクアレー内のデータ記憶装置を転換可能に構成要素に分けるための多ディスクアレーを含むアレー記憶システムと方法を提供する。【解決手段】多ディスクアレー２０１は、第一と第二のアレー２１２，２１４内に配列された仕切り２１８に複数のデータ記憶装置１０４の各々を固定するための取り付け点２３６、２３８、２４４、２４６を限定する前記仕切りを含み、前記第一のアレー２１２のデータ記憶装置１０４は前記第二のアレー２１４のデータ記憶装置１０４とは逆に動作回転する。各々がデータ記憶装置のアレーを支持する二つの同じ仕切り２１８を一緒に接合することにより、多ディスクアレーの記憶容量を増大することができる。【選択図】図３
2006018807.tif 000002
【特許請求の範囲】
【請求項１】
第一と第二のアレー内に配列された仕切りに複数のデータ記憶装置の各々を固定するための取り付け点を限定する前記仕切りを具備するアレー記憶システムであって、前記第一のアレーのデータ記憶装置が前記第二のアレーのデータ記憶装置とは逆に動作回転する、アレー記憶システム。
【請求項２】
請求項１に記載されたアレー記憶システムであって、境界軸に沿って前記第一の仕切りに接続されるデータ記憶装置のアレーを支持する第二の仕切りを含むアレー記憶システム。
【請求項３】
請求項２に記載されたアレー記憶システムであって、前記アレーが前記境界軸にほぼ平行に配置される、アレー記憶システム。
【請求項４】
請求項２に記載されたアレー記憶システムであって、前記仕切りが、等しい数のデータ記憶装置を支持する、アレー記憶システム。
【請求項５】
請求項２に記載されたアレー記憶システムであって、前記アレーが、前記境界軸を中心としてデータ記憶装置の鏡映配列を限定する、アレー記憶システム。
【請求項６】
請求項２に記載されたアレー記憶システムであって、前記仕切りが同じである、アレー記憶システム。
【請求項７】
第二の仕切りに取り外し可能に接続された第一の仕切りを具備する多ディスクアレーであって、異なる第一と第二のグループに配列された前記仕切りに複数のデータ記憶装置の各々を固定するための取り付け点を前記仕切りが限定する、多ディスクアレー。
【請求項８】
請求項７に記載された多ディスクアレーであって、前記仕切りは境界軸に沿って接続可能であり、データ記憶装置の前記第一と第二のグループは前記境界軸にほぼ平行に配置された線形アレーとして配列される、多ディスクアレー。
【請求項９】
請求項８に記載された多ディスクアレーであって、前記データ記憶装置は回転するディスクをそなえており、第一のアレーの第一のデータ記憶装置と第二のアレーの第二のデータ記憶装置とは互いに逆の方向に動作回転する、多ディスクアレー。
【請求項１０】
請求項８に記載された多ディスクアレーであって、前記第一と第二のグループが等しい数のデータ記憶装置を含む、多ディスクアレー。
【請求項１１】
請求項７に記載された多ディスクアレーであって、各データ記憶装置は前記第一と第二のグループのデータ記憶装置のすべてのコネクタの同一平面上の配列内に配置された電気コネクタをそなえる、多ディスクアレー。
【請求項１２】
請求項７に記載された多ディスクアレーであって、前記第一と第二の仕切りが同じである、多ディスクアレー。
【請求項１３】
第一と第二のアレー内に配列された仕切りに複数のデータ記憶装置の各々を固定するようにされた取り付け点を限定する前記仕切りを含むデータ記憶装置を支持するためのキャリアであって、前記第一のアレー内に固定されたデータ記憶装置が前記第二のアレー内に固定されたデータ記憶装置とは逆に動作回転するような、キャリア。
【請求項１４】
請求項１３に記載されたキャリアであって、データ記憶装置のアレーを支持するようにされ、境界軸に沿って前記第一の仕切りに接続され得る第二の仕切りを含むキャリア。
【請求項１５】
請求項１４に記載されたキャリアであって、前記アレーが境界線にほぼ平行に配置される、キャリア。
【請求項１６】
請求項１４に記載されたキャリアであって、前記仕切りが、等しい数のデータ記憶装置を支持する、キャリア。
【請求項１７】
請求項１４に記載されたキャリアであって、各データ記憶装置の電気コネクタを前記仕切り内のデータ記憶装置のすべてのコネクタの同一平面上の配列に配置するようにされた、キャリア。
【請求項１８】
請求項１４に記載されたキャリアであって、前記仕切りが同じである、キャリア。
【請求項１９】
多ディスクアレー内の回転するディスクデータ記憶装置を支持するための方法であって、
第一のデータ記憶装置を仕切りに固定することと、
ディスク回転の方向が第一のデータ記憶装置とは逆になるように第二のデータ記憶装置を仕切りに固定することと
を含む方法。
【請求項２０】
請求項１９に記載された方法であって、更に、第三のデータ記憶装置をもう一つの同じ仕切りに固定することと、それらの仕切りを一緒に接続することとを含む方法。
【発明の詳細な説明】
【技術分野】
【０００１】
本発明の実施例は一般にアレー記憶システムの分野に関するものである。更に詳しくは、種々の個数とサイズのデータ記憶装置を転換可能に構成要素化して多ディスクアレーを定義するためのキャリアに関するものであるが、それに限定されない。
【背景技術】
【０００２】
データ記憶容量に対するますます増大する要求によって、複数のデータ記憶装置が電子的に結合されて共働的に機能する改善されたデータアレー記憶システムの開発が促進された。安価装置の冗長アレー（ＲＡＩＤ：ｒｅｄｕｎｄａｎｔ  ａｒｒａｙｓ  ｏｆ  ｉｎｅｘｐｅｎｓｉｖｅ  ｄｅｖｉｃｅ）システムのような、フェイルセーフ冗長記憶を許すアレーでは、データ保全性も高められる。
【０００３】
アレー設計者が直面する多数の課題がある。たとえば、各データ記憶装置に必要とされる多数の複雑な機械的および電子的接続は、アレー内のデータ記憶装置数だけ多重化される。すなわち、データ記憶装置毎に、データ転送誤りを生じる振動レベルから敏感なヘッドとディスクの構成要素を分離するために充分な機械的な支持物が必要とされる。自励、すなわちデータ記憶装置自体の回転ディスクによって生じる振動に注意しなければならないだけでなく、このような環境での外部励起源に対して同様な注意が必要とされる。外部励起は、アレー内の他のデータ記憶装置、電源およびファンのようなアレー内の電気構成品、およびアレーが動作している間、データ記憶装置の設置や取りはずしから生じ得る。
【０００４】
アレー内のデータ記憶装置数が増加するにつれて、電磁干渉封じ込めに伴う問題も悪化する。データ記憶装置を正しく遮蔽するためには、隣接したシェルフ内のドライブ間の漏れ経路に注意を払うだけでなく、複数のデータ記憶装置が各々挿入される多数の開口によって作成される可能性のある漏れ経路にも注意を払う必要がある。アレー内の隣接データ記憶装置に対する場所の遮蔽を乱すことなく、データ記憶装置の着脱ができるようにしつつ、これらの開口の適切な遮蔽を行わなければならない。
【０００５】
柔軟性も問題となり得る。たとえば、従来、アレー内の所定の数とサイズのデータ記憶装置に対して、コネクタボード、制御器、および接続バスのような電気システムが実配線される。これが必要とされるのは、個々のデータ記憶装置の交換を許しつつ、アレーの電気的保全性を維持するためである。この理由により、記憶シェルフとそれに対応する電気システムは、所定の個数とサイズのデータ記憶装置に対して専用のものである。したがって、機械的と電気的と両方の制約により、特定の形状係数構成に対して設計されたアレーは別の形状係数での使用に対して容易に適合させることはできない。また、データ記憶の二重化のような特定の機能のためにデータ記憶装置のグルーピングが必要とされる場合、このような機能性は従来、最上位のホストプログラミングレベルで達成されなければならない。これには、多数のデータ記憶装置の複雑で整合されたプログラミングが必要とされる。
【発明の開示】
【発明が解決しようとする課題】
【０００６】
データ記憶容量の最大化に対処しつつ、アレー記憶システム内のデータ記憶装置の利用の際の操作の柔軟性をも与えるために当業では種々のアプローチが提案されてきたが、それにもかかわらず、当業では改善の継続的要求が残っている。本発明はこのような改善を対象としている。
【０００７】
本発明の好適実施例によれば、多ディスクアレー内のデータ記憶装置を転換可能に構成要素に分けるための装置と方法が考えられている。
【０００８】
いくつかの好適実施例では、第一と第二のアレー内に配列された仕切りに複数のデータ記憶装置の各々を固定するための取り付け点を限定する前記仕切りを具備するアレー記憶システムであって、前記第一のアレーのデータ記憶装置が前記第二のアレーのデータ記憶装置とは逆に動作回転する、アレー記憶システムが提供される。
【０００９】
他の好適実施例では、第二の仕切りに取り外し可能に接続された第一の仕切りを具備する多ディスクアレーであって、異なる第一と第二のグループに配列された前記仕切りに複数のデータ記憶装置の各々を固定するための取り付け点を前記仕切りが限定する、多ディスクアレーが提供される。
【００１０】
他の好適実施例では、第一と第二のアレー内に配列された仕切りに複数のデータ記憶装置の各々を固定するようにされた取り付け点を限定する前記仕切りを含むデータ記憶装置を支持するためのキャリアであって、前記第一のアレー内に固定されたデータ記憶装置が前記第二のアレー内に固定されたデータ記憶装置とは逆に動作回転するような、キャリアが提供される。
【００１１】
他の好適実施例では、多ディスクアレー内の回転するディスクデータ記憶装置を支持するための方法であって、第一のデータ記憶装置を仕切りに固定することと、ディスク回転の方向が第一のデータ記憶装置とは逆になるように第二のデータ記憶装置を仕切りに固定することとを含む方法が提供される。
【００１２】
本発明を特徴づける、これらと他の種々の特徴と利点は、以下の詳細な説明と付図により明らかとなる。
【実施例】
【００１３】
図１は、キャビネット１０２が複数のデータ記憶装置１０４を支持する関連技術のアレー記憶システム１００の等角図である。ホスト１０６はデータ記憶装置１０４の各々に電気的に接続されて、ネットワークインタフェースを提供したり、ＲＡＩＤシステム等でデータ保全性方式を用いるような、バルクデータ記憶構成を提供する。
【００１４】
図２は、本発明と一緒に、回転磁気媒体ディスクドライブの形式での使用に適したデータ記憶装置１０４の等角図である。データ記憶ディスク１０８が電動機１１０によって回転させられ、ディスク１０８の記憶ロケーションを読み出し／書き込みヘッド（「ヘッド」）１１２に呈示する。ヘッド１１２をディスク１０８の内側トラックと外側トラックとの間で半径方向に動かすことができるロータリアクチュエータ１１４の遠端にヘッド１１２が支持される。ヘッド１１２は、たわみ回路１１８を介して回路基板１１６に電気的に接続される。回路基板１１６は、データ記憶装置１０４の機能を制御する制御信号を送受するように構成される。コネクタ１２０は回路基板１１６に電気的に接続され、そしてデータ記憶装置１０４をアレー１００の制御電子回路に接続するように構成される。
【００１５】
アレー記憶システム１００は、多数のデータ記憶装置１０４の記憶機能を組み合わせる一つの仕方を提供する。しかし、都合の悪いことに、キャビネット１０２の個々の開口は、個々のデータ記憶装置１０４または一定の個数とサイズのデータ記憶装置１０４を受け入れるような大きさとされ、配線される。
【００１６】
図３および４は、その中で複数の多ディスクアレー（ＭＤＡ：ｍｕｌｔｉｐｌｅ  ｄｉｓｃ  ａｒｒａｙｓ）２０１が利用される、本発明の新規な実施例に従って組み立てられたアレー記憶システム２００を示す。ＭＤＡ２０１は一般に、複数の転換可能に構成要素化されたデータ記憶装置１０４を含む。「転換可能」とは、既存のＭＤＡ２０１で一つ以上のデータ記憶装置１０４を容易に置換、追加、または取りはずしできること、または異なる個数、サイズ、または構成のデータ記憶装置を支持し得る別のＭＤＡを利用できるということを意味する。「構成要素化」とは、ＭＤＡ２０１内の複数のデータ記憶装置および対応する制御電子回路を統合して、バックプレーンに対して機能的に単一の構成要素として呈示することを意味する。
【００１７】
キャビネット２０２は、その各々がシェルフ２０６を受け入れる複数の空洞を限定する。各シェルフ２０６は、その各々がＭＤＡ２０４を受け入れてバックプレーン２０９とかみ合させる一つ以上の空洞２０７を限定する。同様に、シェルフ２０６は他の電気モジュールを受け入れてバックプレーン２０９とかみ合させる空洞を限定する。他の電気モジュールは、たとえば、制御器２１１、電池２１３、電源２１５、およびインタフェース２１７であるが、これらに限定されない。
【００１８】
図４の具体的な実施例では、シェルフ２０６は、二つのＭＤＡ２０１を受け入れるための二つの空洞２０７を限定する。同等の代替実施例はシェルフ２０６当たり異なる個数のＭＤＡ２０１を想定する。アレー記憶システム２００は、各々が動作対応関係でそれぞれの空洞２０７に応じたサイズをそなえる複数のＭＤＡ２０１を含む。各ＭＤＡ２０１は、可変の個数、サイズ、配列のデータ記憶装置１０４を動作支持するように構成される。更に詳しくはこの解は、複数の異なるキャリアからのキャリア２０４を受け入れてかみ合うＭＤＡ２０１を含むアレー記憶システム２００であって、複数のキャリアの各キャリアはシェルフ２０６の空洞２０７との動作対応関係を限定する共通の外側寸法をそなえ、複数のキャリアの各キャリアは選択された個数、サイズ、または配列のデータ記憶装置１０４を支持するための内側支持形状が異なっているような、アレー記憶システム２００を提供する。
【００１９】
図５は分解組立等角図であって、キャリア２０４は一緒に接合される一対の同じ仕切り２０８を含む。この配列では、各々が複数のデータ記憶装置１０４を支持する接合された仕切り２０８がシェルフ２０６（図４）の一つの空洞２０７に受け入れられ、シェルフ２０６はキャビネット２０２（図３）の空洞に受け入れられる。本発明のいくつかの実施例では、シェルフ２０６はキャビネット２０２内に固定され、キャリア２０４はシェルフ２０６に着脱可能であるので、個々のデータ記憶装置１０４は容易に追加、取りはずし、交換できる。本発明の他の実施例ではキャリア２０４は、シェルフ２０６内の異なる選択された個数、サイズ、または配列のデータ記憶装置１０４を電気的に接続するための異なるデータ記憶装置支持形状をそなえる別のキャリアに交換することができる。
【００２０】
図５の具体的な実施例で、仕切り２０８は、３個のデータ記憶装置１０４の第一の線形アレー２１２と２個のデータ記憶装置１０４の第二の線形アレー２１４とを支持する。仕切り２０８は、データ記憶装置１０４の一つを受け入れるためのチャネル２２２を限定する、平らな支持表面２１６と対向する横断側面部材２１８、２２０とを限定する。同様に、第一のアレー２１２の他の二つのデータ記憶装置１０４を受け入れるためにチャネル２２４、２２６が限定され、第二のアレー２１４のデータ記憶装置１０４を受け入れるためにチャネル２２８、２３０が限定される。
【００２１】
タブ部材２３２、２３４は側面部材２１８の遠端から横断方向に伸びて、それぞれ取り付け点２３６、２３８を限定することにより、データ記憶装置１０４を仕切り２０８に固定する。いくつかの実施例では、取り付け点２３６、２３８は、締め具２４０を通して、データ記憶装置１０４の取り付け形状２４２と固定的にかみ合わせるための隙間開口を含むことができる。たとえば、締め具２４０は、データ記憶装置１０４に設けられたねじ山つき開口２４２とねじでかみ合うねじ山つき締め具を含むことができる。図５の具体的実施例では、各データ記憶装置１０４を固定するための４個の取り付け点２３６、２３８、２４４、２４６がある。このように各データ記憶装置１０４を仕切り２０８に確実に固定することにより、回転するディスクによって生じる振動が都合よく減衰される。
【００２２】
取り付け形状２４２をチャネル２２８、２３０と関連付けられた取り付け点２３６、２３８、２４４、２４６とそろえるために、第一のアレー２１２のデータ記憶装置１０４に対して第二のアレー２１４のデータ記憶装置１０４をぐいと動かさなければならない。これにより、第一のアレー２１２のデータ記憶装置１０４は第二のアレー２１４のデータ記憶装置１０４とは逆に回転する。すなわち、すべてのデータ記憶装置１０４の回転軸と平行な回転参照軸２４８に対して、第一のアレー２１２のデータ記憶装置１０４が方向２５０に動作回転すれば、ぐいと動かされた関係の向きにより、第二のアレー２１４のデータ記憶装置１０４は逆に方向２５２に回転する。
【００２３】
このように異なるアレー２１２、２１４でデータ記憶装置１０４が逆に回転することにより、すべてのデータ記憶装置１０４が同じ方向に回転する配列と比べて振動が低減される。たとえば、差動回転振動は隣接した逆に回転するデータ記憶装置１０４の間で効果的に相殺され、同じ方向に回転することにより累積されることはない。
【００２４】
図５の具体的実施例について、二つの仕切り２０８を一緒に接合するために第一の取り付け形状２５４は第二の取り付け形状２５６とそろえることができる。
たとえば、第一の取り付け形状２５４は、締め具（図示しない）を通して、第二の取り付け形状２５６と固定的にかみ合わせるための隙間開口を限定することができる。
【００２５】
図６は、境界軸２５８に沿って二つの仕切り２０８を一緒に接合することによりキャリア２０４を形成する実施例を示す。同等の代替実施例では、キャリア２０４は一つの仕切り２０８だけを含み得る。まず、すべてのデータ記憶装置１０４をそれぞれの仕切り２０８に固定した後、仕切り２０８を一緒に接続することにより、すべてのデータ記憶装置１０４が取り付け形状２３６、２３８、２４４、２４６に容易にアクセスできることがわかる。逆に回転するデータ記憶装置１０４の振動低減の利点を最大限にするために、アレー２１２、２１４は境界軸２５８にほぼ平行に、そして境界軸２５８に対して鏡映的に配置される。
【００２６】
キャリア２０４内で、データ記憶装置１０４の各々はすべてのデータ記憶装置１０４のすべてのコネクタ１２０の同一平面上の配列内に配置される電気コネクタ１２０をそなえる。キャリア２０４は、それぞれのデータ記憶装置１０４のコネクタ１２０とそろうように配列された多数のコネクタ２６２をそなえる回路基板２６０を支持する。回路基板２６０は好ましくは更に、バックプレーン２０９（図４）を介してアレー記憶システム２００の電子回路に接続されるように構成されたコネクタ２６４をそなえる。図６の具体的実施例では、シェルフ２０６（図４）の縦の奥行きに沿った方向２６８に回路基板２６０を移動することにより、コネクタ２６４はバックプレーン２０９との動作可能な挿入接続のためにそろえられることがわかる。このようにして、シェルフ２０６（図４）にＭＤＡ２０１を挿入することにより、回路基板２６０とアレー記憶システム２００との間の電気的接続が容易に行われる。回路基板２６０を選択的に構成することにより、キャリア２０４が動作挿入されたときに、ホスト１０６はＭＤＡ２０１内の各データ記憶装置１０４と電気的に通じるように配置することができ、そのデータ記憶装置１０４は特定のＭＤＡ２０１の内側と外側の両方で他のデータ記憶装置１０４と電気的に通じることができる。
【００２７】
キャリア２０４は、電気的遮蔽のためにデータ記憶装置１０４や回路基板２６０を取り囲むためのラッパー２７０を支持することができる。図６の実施例では、ラッパー２７０はＭＤＡ２０１の前面と回路基板部分だけをカバーする。キャリア２０４は好ましくは、挿入の間、ＭＤＡ２０１を確実にそろえるためにバックプレーン２０９(図４)の対応する形状とそろうようにされた一つ以上のガイド部材を含む。
【００２８】
図９は、本発明の実施例による、ＭＤＡ２０１内の複数のデータ記憶装置１０４を支持する方法３００の具体的なステップのフローチャートである。方法３００は最初に、ステップ３０２で所望のデータ記憶装置１０４の個数を決め、ステップ３０４で所望のデータ記憶装置１０４のサイズを決める。これらの決定から、ステップ３０６で適当に構成されたキャリア２０４を選択することができる。支持チャネル２２２の数とサイズは所望のデータ記憶装置１０４の数とサイズに正確に一致する必要はなく、現在使用されていないチャネル２２２をそなえたキャリア２０４は、その同じキャリア２０４で、より多くのデータ記憶装置１０４を追加することにより将来の容量拡張に使用することができる。
ステップ３０８でデータ記憶装置１０４がキャリア２０４に挿入される。挿入ステップは、仕切り２０８に第一のデータ記憶装置１０４を固定することと、ディスク回転の方向が第一のデータ記憶装置１０４とは逆になる向きで仕切りに第二のデータ記憶装置１０４を固定することとを含む。いくつかの実施例では、挿入ステップは更に、もう一つの同じ仕切り２０８に第三のデータ記憶装置１０４を固定することと、仕切り２０８を一緒に接続することを含む。次に、ステップ３１０でキャリア２０４がシェルフ２０６に挿入される。
【００２９】
判定ステップ３１２で、保守、修理、保管等により、現在用いられているいずれかのデータ記憶装置１０４を変更する必要があるか判定する。イエスならば、判定ブロック３１４で現在使用されているキャリア２０４に適切な容量の支持チャネル２１８があるか判定する。一つのデータ記憶装置１０４を同じものに置き換えつつあるときのようにイエスであれば、ステップ３１６でシェルフ２０６からキャリア２０４が取りはずしされ、キャリア２０４から一つ以上のデータ記憶装置１０４が取りはずしされる。次に、方法はステップ３０８に戻り、そこで一つ以上のデータ記憶装置１０４がキャリア２０４に挿入される。
【００３０】
ステップ３１４の判定がノーであれば、別の構成のキャリアが必要とされる。方法はステップ３０２および３０４に戻り、適切なキャリアを定め、そして方法はキャリア提供ステップ３０６に戻る。
【００３１】
まとめると、キャリア（たとえば、２０４）はＭＤＡ（たとえば、２０１）内の、ある数のデータ記憶装置（たとえば、１０４）を構成要素化するために使用される。キャリアはアレー記憶システム（たとえば、２００）のシェルフ（たとえば、２０６）に一元的に着脱できる。キャリアはデータ記憶装置を受け入れるためのチャネル（たとえば、２２２）の配列を限定する仕切り（たとえば、２０８）を含む。チャネル数はデータ記憶装置の選択された個数に関連付けられ、チャネルのサイズはデータ記憶装置の選択されたサイズに関連付けられる。仕切りは更に、データ記憶装置を仕切りに固定するための取り付け点（たとえば、２３２）を限定する。
【００３２】
仕切りは、第一のアレーのデータ記憶装置が第二のアレーのデータ記憶装置とは逆に回転し得るように、データ記憶装置の第一のアレー（たとえば、２１２）およびデータ記憶装置の第二のアレー（たとえば、２１４）を支持する。キャリアは、境界軸（たとえば、２５８）に沿って一緒に接続された、各々データ記憶装置のアレーを支持する、二つの仕切りを含むことができる。データ記憶装置は境界軸にほぼ平行に、そして境界軸を中心として鏡映配列で、配置することができる。好ましくは、同数のデータ記憶装置が仕切りで支持される。
【００３３】
各データ記憶装置のコネクタ（たとえば、１２０）がＭＤＡ内のデータ記憶装置のすべてのコネクタの同一平面上の配列内に配置されるように、データ記憶装置がキャリア内に支持される。キャリアは、ＭＤＡ内の選択された数のデータ記憶装置を動作接続するための回路基板（たとえば、２６０）を支持する。ラッパー（たとえば、２７０）は電気的遮蔽のためにキャリアや回路基板を取り囲むことができる。
【００３４】
本発明の実施例は、アレー記憶システムでデータ記憶装置を支持するための方法を考える。この方法は、アレー記憶システムで支持されるシェルフに挿入できる複数の異なるキャリアからのキャリアを設けること（たとえば、３０６）を含み、キャリアは各チャネルがデータ記憶装置と支持してかみ合うというチャネルの構成を限定し、チャネル数はデータ記憶装置の選択された数に関連付けられ、各チャネルのサイズはデータ記憶装置の選択されたサイズに関連付けられ、異なるキャリアは共通の容積寸法をそなえるが、チャネルの数やサイズは変動する。方法は更に、キャリア内のそれぞれの数のチャネルに一つ以上のデータ記憶装置を挿入すること(たとえば、３０８）を含む。挿入ステップは、仕切りに第一のデータ記憶装置を固定することと、ディスク回転の方向が第一のデータ記憶装置とは逆になる向きで仕切りに第二のデータ記憶装置を固定することとを含む。いくつかの実施例では、挿入ステップは更に、もう一つの同じ仕切りに第三のデータ記憶装置を固定することと、仕切りを一緒に接続することを含む。次に、ステップ３１０で、キャリアがシェルフに挿入される。
【００３５】
方法は更に、シェルフからキャリアを取りはずしし、キャリアからデータ記憶装置を取りはずしし（たとえば、３１６）、キャリアにもう一つのデータ記憶装置を挿入し（たとえば、３０８）、シェルフにキャリアを戻す（たとえば、３１０）ことにより、アレー記憶システム内の既存のデータ記憶装置を交換することを含む。アレー記憶システム内の既存のデータ記憶装置を交換する方法は更に、シェルフからキャリアを取りはずしすることと、一つ以上のデータ記憶装置を支持する別のキャリアをシェルフに挿入することとを含む（たとえば、３０２、３０４、３０６）。
【００３６】
本発明の種々の実施例の多数の特徴と利点を本発明の種々の実施例の構造と機能の詳細とともに説明してきたが、この詳細な説明は説明のためだけのものであって、細部については変更を加えてもよいことは理解されよう。特に、特許請求の範囲を表現する用語の広い一般的な意味によって示される限度一杯の、本発明の原理内の構造と部品の構成について変更を加えてもよい。たとえば、本発明の趣旨と範囲から逸脱することなく、チャネルを限定するチャネル表面の特定の構成に応じて特定の要素を変更してもよい。
【図面の簡単な説明】
【００３７】
【図１】関連技術の解に従い組み立てられたアレー記憶システムの等角図である。
【図２】データ記憶装置の等角図である。
【図３】本発明の実施例に従って組み立てられたアレー記憶システムの等角図である。
【図４】図３のアレー記憶システムの部分の分解組立等角図である。
【図５】図４のキャリア部の分解組立等角図である。
【図６】図３の多ディスクアレーの分解組立等角図である。
【図７】本発明の実施例に従って選択された個数とサイズのデータ記憶装置を多ディスクアレーとして構成要素化する方法のフロー図である。
【符号の説明】
【００３８】
１００  アレー記憶システム
１０４  データ記憶装置
２００  アレー記憶システム
２０１  多ディスクアレー
２０４  キャリア
２１２  第一のアレー
２１４  第二のアレー
２１８  仕切り
２５８  境界軸
【図１】
2006018807.tif 000003
【図２】
2006018807.tif 000004
【図３】
2006018807.tif 000005
【図４】
2006018807.tif 000006
【図５】
2006018807.tif 000007
【図６】
2006018807.tif 000008
【図７】
2006018807.tif 000009